(57)【要約】  セルラ通信ネットワークノードは、少なくとも１つのダイレクトシグナリングチャネル用インジケータビットを送信する信号処理論理装置を有する。信号処理論理装置は、送信されるべきメッセージを受信した場合、ダイレクトシグナリングチャネルが、少なくとも１つのリソースユニットにおいてアクティブであることを示すように、少なくとも１つのダイレクトシグナリングチャネル用インジケータビットを設定する。信号処理論理装置は、ダイレクトシグナリングチャネルのメッセージを送信する必要がなかった場合、少なくとも１つのリソースユニットを、ダイレクトシグナリングチャネル以外の少なくとも１つのチャネルにより使用するように再配分する。
2010541352.tif 000002
【特許請求の範囲】
【請求項１】
信号処理論理装置に結合された送信部を有するセルラ通信ネットワークであって、
該送信部は、前記信号処理論理装置により生成された少なくとも１つのダイレクトシグナリングチャネル用インジケータビットを送信し、
前記信号処理論理装置は、送信されるメッセージを受信した場合、第１のリソースユニットにおいて前記少なくとも１つのダイレクトシグナリングチャネル用インジケータビットを設定し、ダイレクトシグナリングチャネルが少なくとも第２のリソースユニットにおいてアクティブであることを表現し、
前記信号処理論理装置は、送信するメッセージがなかった場合、前記少なくとも第２のリソースユニットを、前記ダイレクトシグナリングチャネル以外の少なくとも１つのチャネルに使用するように再配分する、セルラ通信ネットワークノード。
【請求項２】
前記信号処理論理装置は、前記ダイレクトシグナリングチャネルに使用されるトラスポートフォーマット及び物理リソースの情報を含むダイレクトシグナリングチャネル用リソース情報を生成する、請求項１記載のセルラ通信ネットワークノード。
【請求項３】
前記第１のリソースユニットは第１のフレームにあり、前記第２のリソースユニットは第２のフレームにある、請求項１又は２に記載のセルラ通信ネットワークノード。
【請求項４】
前記第２のフレームは、前記第１のフレームの次に続くフレームである、請求項３記載のセルラ通信ネットワークノード。
【請求項５】
前記信号処理論理装置は、前記少なくとも１つの第２のリソースユニットに対して、複数のダイレクトシグナリングチャネルを割り当てる、請求項１ないし４の何れか１項に記載のセルラ通信ネットワークノード。
【請求項６】
前記信号処理論理装置は、送信用に１つのダイレクトシグナリングチャネル用インジケータビットを生成する、請求項５記載のセルラ通信ネットワークノード。
【請求項７】
前記信号処理論理装置は、複数の複数のダイレクトシグナリングチャネル用インジケータビットを生成し、ダイレクトシグナリングチャネルの各々に１つのビットが対応する、請求項５又は６に記載のセルラ通信ネットワークノード。
【請求項８】
前記信号処理論理装置は、送信する少なくとも１つのインジケータビットを生成し、インジケータビットの各々が、複数のダイレクトシグナリングチャネルに対応する、請求項５ないし７の何れか１項に記載のセルラ通信ネットワークノード。
【請求項９】
前記信号処理論理装置は、送信する少なくとも１つのメッセージを受信した場合、該少なくとも１つのメッセージを送信するのに必要とされなかった少なくとも１つの第２のリソースユニットを、前記ダイレクトシグナリングチャネル以外の少なくとも１つのチャネルに使用するように再配分する、請求項５ないし８の何れか１項に記載のセルラ通信ネットワークノード。
【請求項１０】
前記信号処理論理装置は、複数のダイレクトシグナリングチャネルを、複数の第２のリソースユニットに割り当てる、請求項１ないし９の何れか１項に記載のセルラ通信ネットワークノード。
【請求項１１】
前記少なくとも１つのダイレクトシグナリングチャネルが、ユニバーサル移動通信システム（UMTS）ネットワークにおけるフォワードアクセスチャネル（FACH）である、請求項１ないし１０の何れか１項に記載のセルラ通信ネットワークノード。
【請求項１２】
少なくとも１つのリソースユニットが、高速ダウンリンク共有チャネル（HS−DSCH）に使用されるように再配分される、請求項１１記載のセルラ通信ネットワークノード。
【請求項１３】
前記信号処理論理装置は、報知チャネル（BCH）において前記少なくとも１つのダイレクトシグナリングチャネル用インジケータビットを生成する、請求項１１又は１２に記載のセルラ通信ネットワークノード。
【請求項１４】
前記信号処理論理装置は、前記少なくとも１つのダイレクトシグナリングチャネル用インジケータビットを、前記BCHのトランスポートフォーマットコンビネーション員にケータ（TFCI）タイプフィールドにおいて生成する、請求項１３記載のセルラ通信ネットワークノード。
【請求項１５】
前記信号処理論理装置は、報知する前記BCHのデータ部分の一部として、少なくとも１つのダイレクトシグナリングチャネル用インジケータビットを生成する、請求項１３記載のセルラ通信ネットワークノード。
【請求項１６】
（i）個別のダイレクトシグナリングチャネル用インジケータチャネル、
（ii）ユニバーサル移動通信システム（UMTS）ネットワークにおける個別のページングインジケータチャネル又は
（iii）ユニバーサル移動通信システム（UMTS）ネットワークにおけるE−DCHハイブリッドARQインジケータチャネル（E−HICH）
の内の少なくとも１つにおいて、前記信号処理論理装置は、前記少なくとも１つのダイレクトシグナリングチャネル用インジケータビットを生成する、請求項１ないし１５の何れか１項に記載のセルラ通信ネットワークノード。
【請求項１７】
セルラ通信システムにおける物理チャネルを介してトランスポートチャネルを送信する方法であって、
少なくとも１つのメッセージが送信されるか否かを判断するステップと、
少なくとも１つのメッセージが送信される場合、少なくとも１つのダイレクトシグナリングチャネルに割り当てられた少なくとも第２のリソースユニットにより、前記少なくとも１つのメッセージを送信する予定を立て、第１のリソースユニットにおいて少なくとも１つのダイレクトシグナリングチャネル用インジケータビットを設定し、前記少なくとも第２のリソースユニットにおいてダイレクトシグナリングチャネルがアクティブであることを表現するステップと、
メッセージが送信されない場合、前記少なくとも第２のリソースユニットを、前記少なくとも１つのダイレクトシグナリングチャネル以外の少なくとも１つのチャネルに使用するように再配分するステップと
を有する方法。
【請求項１８】
無線通信システムにおけるネットワーク要素から無線通信装置へのシグナリングを行うプログラムコードを有するコンピュータプログラムであって、
送信されるメッセージを受信した場合、第１のリソースユニットにおいて少なくとも１つのダイレクトシグナリングチャネル用インジケータビットを設定し、ダイレクトシグナリングチャネルが少なくとも第２のリソースユニットにおいてアクティブであることを表現し、ダイレクトシグナリングチャネルに使用するように割り当てられた少なくとも第２のリソースユニットにより、メッセージを送信するステップと、
送信するメッセージがなかった場合、前記少なくとも第２のリソースユニットを、前記少なくとも１つのダイレクトシグナリングチャネル以外の少なくとも１つのチャネルに使用するように再配分するステップと
を信号処理論理装置に実行させるコンピュータプログラム。
【請求項１９】
通信チャネルの第１のリソースユニットにより少なくとも１つのダイレクトシグナリングチャネル用インジケータビットを受信し、少なくとも第２のリソースユニットにおいてダイレクトシグナリングチャネルがアクティブであることの通知を受ける論理装置と、
受信した少なくとも１つのダイレクトシグナリングチャネル用インジケータビットのステータスに応じて、少なくとも第２のリソースユニットにより前記ダイレクトシグナリングチャネルを受信する論理装置と、
前記少なくとも１つの第２のリソースユニットを利用して、前記ダイレクトシグナリングチャネル以外の少なくとも１つのチャネルを受信する論理装置と
を有する無線通信装置。
【請求項２０】
前記ダイレクトシグナリングチャネルが、第３世代パートナーシッププロジェクトの通信システムにおけるフォワードアクセスチャネル（FACH）である、請求項１９記載の無線通信装置。
【請求項２１】
第１群のリソースが、高速ダウンリンク共有チャネル（HS−DSCH）に割り当てられている、請求項１９又は２０に記載の無線通信装置。
【請求項２２】
無線通信システムにおける無線通信装置によるリソース割当方法であって、
通信チャネルの第１のリソースユニットにより少なくとも１つのダイレクトシグナリングチャネル用インジケータビットを受信し、少なくとも第２のリソースユニットにおいてダイレクトシグナリングチャネルがアクティブであることの通知を受けるステップと、
受信した少なくとも１つのダイレクトシグナリングチャネル用インジケータビットのステータスに応じて、少なくとも第２のリソースユニットにより前記ダイレクトシグナリングチャネルを受信するステップと、
前記少なくとも１つの第２のリソースユニットを利用して、前記ダイレクトシグナリングチャネル以外の少なくとも１つのチャネルを受信するステップと
を有する方法。
【発明の詳細な説明】
【技術分野】
【０００１】
本発明は、一般に、セルラ通信システムの物理チャネルによりトランスポートチャネルを送信する方法及び装置の技術分野に関連する。特に、本発明は、セルラ通信システムの物理チャネルにおいてチャネルルソースを割り当てる技術分野に関連する。
【背景技術】
【０００２】
第３世代パートナーシッププロジェクト（3GPP）により標準化が進められているユニバーサル移動通信システム（UMTS）無線アクセスネットワーク（UTRAN）のような既存のセルラ通信システムは、一般に、無線ネットワークコントローラ（RNC）、ノードＢ（ノードBsとして言及される）及び移動局（MSs）（ユーザ装置UEとして言及される）の組から構成される。図１は、そのようなセルラ通信システム100の一部に関する既知のネットワークトポロジ例を示す。
【０００３】
RNC105は、例えば（不図示の）メディアゲートウェイとの接続を提供し、目下の例の場合、UMTSネットワークと、例えば公衆交換電話網（PSTN）との間の変換ユニットとして機能する。RNC105は、UMTSネットワークに関する上位レイヤのいくつかの処理を実行し、例えば、無線ベアラの設定及び管理、無線リソースの管理、移動管理、通信システムに対するＵＥの初期アクセスの制御、無線リンク制御（RLC）等の機能を実行する。
【０００４】
ノードBs110は、一般に、ネットワークにおける低レイヤの処理を実行し、例えば、媒体アクセス制御（MAC）、伝送するデータブロックのフォーマットを整えること、及びトランスポートブロックをUEに物理的に送信すること等の機能を実行する。
【０００５】
図１に示されているように、ノードBs110は、インターフェース（Iub）115を介してRNC105に接続されている。ノードB110及びRNC105間のこのインターフェースは、例えば固定回線通信プロバイダが提供する専用線（least  line）でもよいし、マイクロ波リンク、イーサーネットケーブル又はその他の形式の通信リンクでもよい。ノードBsはUEs120に無線で接続される。
【０００６】
バッテリ寿命を延ばすため、UE120がアクティブ接続でなかった場合、UE120はアイドル状態に行くことが知られており、これによりUEは無線周波数回路（RF）の電源を落とす。UE120がアイドル状態にある場合、例えば、UE120宛の呼が着信した場合、ノードBがUEとの接続を開始できるようにすることは重要である。
【０００７】
このため、UE120は、無線回路を定期的に電源投入し、特定のチャネルをモニタし、ネットワークとの接続を設定する必要の有無を確認することが知られている。UMTSは２つのサービスを提供し、ネットワークとの接続を設定する必要がある特定のUE120に、ノードBが通知できるようにしている。２つのうち一方は、ページングチャネル（PCH）と呼ばれ、他方はフォワードアクセスチャネル（FACH）と呼ばれている。これらについての詳細及び他のサービスについては、非特許文献１に記載されており、この文献は本願のリファレンスに組み入れられる。
【０００８】
ネットワークがUEの具体的な場所（すなわち、UEがアタッチされている特定のノードB）を知らなかった場合に、UEに制御情報を伝送するのに使用されるダウンリンクトランスポートチャネルが、PCHである。
【０００９】
従来、PCHは２つのブロックを有し、それらはページングインジケータチャネル（PICH）及びPCH自身である。PICHは複数のインジケータビットを有する。UEの各々は、PICH内の１つのインジケータビットに関連付けられている。したがって、PCHを用いてネットワークがUEにページングする場合、ネットワークは、PICH内の関連するインジケータビットをセットする。アイドル状態の場合、UEは周期的にPICHをデコードし、自身が関連付けられているインジケータビットがセットされているか否かを確認する。関連するインジケータがセットされていた場合、UEはPCHを読み取る。
【００１０】
各UEは固有の識別子（UE−ID）を有する。ネットワークがUEを呼び出す場合（ページングする場合）、上述したように、ネットワークはPICHにおいてそのUEに関するインジケータをセットし、呼び出すUEのUE−ID及び関連するメッセージをPCHにより送信する。この方法の場合、１つより多くのUEがPICH内の１つのインジケータビットに関連付けられているかもしれないので、UE−IDは、メッセージがそのUE宛であるか否かをUEが判断できるようにする。PCHがそのUEのUE−IDを含んでいたならば、UEはメッセージを読み取り、必要な処理を実行する。このように既存の技術の場合（バッテリセービングモードの場合）、ページングチャネルにおけるインジケータビットを使用して、UEがPCHを読み取るために無線部を起動する必要が合うか否かをUEに通知している。
【００１１】
UMTS標準仕様は、PCH（及びPICH）は常に参照パワーレベルで送信されることを規定している。
【００１２】
無線通信システムにおいて、通信媒体は複数のリソースユニットに分けられる。リソースユニットは、１つのコード（例えば、UMTS  FDDの場合）、コードとタイムスロットの組み合わせ（例えば、UMTS  TDDの場合）、複数のタイムスロット一式（例えば、TDDシステムの場合）、複数のトーン（周波数）一式、複数のトーン及び複数のシンボルの組み合わせ、複数のトーン、複数のシンボル及び複数のタイムスロットの組み合わせ（例えば、OFDMシステムの場合）等により指定されてもよい。
【００１３】
システムがUEの在圏セル（すなわち、UEがアタッチされている特定のノードB）を知っていた場合に、UEに制御情報を伝送するのに使用されるダウンリンクトランスポートチャネルが、FACHである。FACHはノードＢからUEへショートメッセージを送信可能にする。これらのショートメッセージは、通常、制御メッセージであり、例えば、UEに物理リソースを割り当て、個別の物理チャネルを設定すること等のために使用される。
【００１４】
FACHは、ある一組の物理リソースにより送信され、その物理リソースは、事前に決められており、ノードBから報知チャネル（BCH）により報知される。FACHはRNCにより制御され、RNCは、FACH送信用に確保するコード及びタイムスロットを決める。また、RNCは、FACH送信用のパワーヘッドルーム量も確保する。FACHが送信される場合、RNCはパワー（電力）を決定し、ノードBはその電力でFACHを送信しなければならない。パワーヘッドルームは、RNCがFACHリソースの割り当て用に確保する電力量である。「パワーヘッドルーム」用に予約されていないパワーは、適宜使用するように（例えば、HS−DSCHリソース情報をスケジューリングする）ノードBに割り当てられる。したがって、RNCがパワーヘッドルームを割り当てる場合、RNCはノードBがそのパワーヘッドルームを割り当てには使用できないことをノードBに通知する。そのパワーヘッドルームは、RNCがリソース情報を割り当てるためにRNCにより確保されているからである。
【００１５】
PCH（及びPICH）とは異なり、FACHは常には送信される必要はなく、通常、メッセージがUEに送信される必要がある場合にのみ使用される。
【００１６】
図２は、FACH送信を行う上位概念的な信号フローの例200を示す。RNCは、「ノードBセットアップ（NODE  B  SETUP）」メッセージをノードBに送信し、FACH送信用のコード及びタイムスロットの所定の組を確保するようにノードBに指示する。このメッセージは、RNCが使用するパワーヘッドルームを確保してもよい。UMTSの場合、FACHトランスポートチャネルを構成するための「NODE  B  SETUP」メッセージは、「共通トランスポートチャネル設定（COMMON  TRANSPORT  CHANNEL  SETUP）」メッセージであり、Iubインターフェース115を介してノードBに送信される。
【００１７】
ノードB110は、その後、「システム情報（SYSTEM  INFORMATION）」メッセージ210を報知チャネル（BCH）により周期的に送信する。このシステム情報メッセージ210は、FACH送信に使用される物理リソースをUEに通知し、例えばその物理リソースは、符号分割多重アクセス（CDMA）システムならばコード及びタイムスロットであり、直交周波数分割多重（OFDM）システムならばサブキャリア及びタイムスロットである。システム情報メッセージ210は、通常、そのセルに関する他の報知情報（例えば、ネットワーク識別子等）も含んでいる。
【００１８】
UE120は、システム情報メッセージ210を受信し、システム情報メッセージ210に含まれている情報に基づいて、FACHデコード機能を構築することができる。
【００１９】
RNC105がFACHを用いてUE120にメッセージを送信する必要がある場合、RNCは「FACH送信（SEND  FACH）」メッセージ215をノードBに送信する。UMTSの場合、「FACH送信」メッセージは、Iubインターフェース115を介して、FACHフレームプロトコル（FACH  FP）メッセージを用いて伝送される。FACH送信メッセージ215は、ノードB110からUE120へのFACH送信220に使用される特定のコード及びタイムスロットを規定するだけでなく、FACH送信に使用されるパワーレベル、メッセージコンテンツ及びUEの識別子（UE−ID）等も規定し、これらはFACH送信に含まれている。その後、FACH送信メッセージ215によりRNCが決定したように、ノードB110はFACHメッセージ220をUE120に送信する。
【００２０】
システム情報メッセージ210により与えられているFACHの定義にしたがって、UE120はFACH220をフレーム毎にデコードする。FACHメッセージ220におけるUE−IDが、そのUE120に割り当てられている識別子に合致した場合、UE120はFACH220内のメッセージコンテンツを処理する。
【００２１】
図３は、ある１つの時分割複信（TDD）システムにおける物理リソース300の既知の割当例を示し、フレーム当たり１つのタイムスロットがFACH用に割り当てられている。上述したように、FACH用の物理リソース310は、ノードBセットアップメッセージ205によりRNC105が事前に指定しており、他のチャネルに再利用することはできない。たとえFACHが少ししか使用されない場合でさえ、例えばほとんどのUEが接続状態であり、それらが図３の高速ダウンリンク共有チャネル（HS−DSCH）305として示されているトラフィックチャネルでデータトラフィックを受信している場合でさえ、FACHタイムスロット310は依然として確保されなければならない。
【００２２】
FACHタイムスロット310が確保されなければならないことは、特にFACHの利用度が少ない場合、物理リソースの非効率的な利用になってしまうことを、当業者は認めるであろう。したがって、FACHに割り当てられたタイムスロット310が、FACHメッセージの送信に必要とされない場合、他の用途に使用できるようにすることが望ましいことを、本発明の発明者等は認識及び理解した。例えば図３の例の場合、トラフィックチャネルリソース（すなわち、HS−DSCHリソース305）は７つのタイムスロットを含む。仮に、FACH送信に確保されているタイムスロット310が、FACHを送信する必要がない期間において、トラフィックチャネルの送信に使用できるならば、トラフィックチャネルリソースは、７つのタイムスロットから８つのタイムスロットに増やせる。これは、その期間の間、トラフィックチャネルリソースを14％増やしたことになる。
【００２３】
FACHのタイムスロットを再利用する既存の方法は、図３に示されている例の場合、HS−DSCH305の形式で示されているトラフィックチャネルのりソースが、FACHメッセージの送信に使用されるようにすることである。この場合、FACHトランスポートチャネルで送信されていた情報は、その代わりにHS−DSCHトランスポートチャネルで送信される。この場合、RNC105ではなく、ノードB110がFACHを制御し、図３のFACHタイムスロットはHS−DSCHタイムスロットになる。こうして、図３の例において、HS−DSCH305は、７つではなく常に８つのタイムスロットを含む。
【００２４】
HS−DSCH305は、ノードB110により制御される共有チャネルである。HS−DSCH305の中身（コンテンツ）は、HS−DSCH用の共有制御チャネル（HS−SCCH）315により割り当てられ、HS−SCCHは、HS−DSCHに関する上位レイヤ制御情報を伝送するダウンリンク物理チャネルである。
【００２５】
HS−SCCH315は、UE120に関するUE−IDを含み、HS−DSCH305内のコンテンツはそのUE宛である。UE−IDは、HS−DSCH305のコンテンツの宛先であるUE120のみが、HS−SCCH315を成功裏にデコードすることを保証する。HS−SCCH315は、HS−DSCH305の送信用に割り当てられているコード及びタイムスロットと、HS−DSCH305の符号化及び変調方式とをUEに指示し、変調方式は、例えば直交位相シフトキーイング（QPSK）や、16QAM（直交振幅変調）等である。HS−SCCH315をデコードすることで、UE120はHS−SCCH315に含まれている情報を使ってHS−DSCH305に関連するタイムスロットをデコードし、関連するコンテンツを抽出することができる。
【００２６】
HS−DSCH305がFACHを送信するために使用される場合、HS−SCCH315やFACH−IDに使用されるコード及びタイムスロットが、図２のシステム情報メッセージ210によりノードBから報知される。FACHを監視する必要があるUEは、その後、FACH−IDを用いてHS−SCCH315をデコードしようとする。UE120が、FACH−IDを用いてHS−SCCH315を成功裏にデコードできた場合、HS−DSCH305の中にFACHメッセージが存在する。
【００２７】
FACH−IDを用いてHS−SCCH315をデコードすることで、HS−SCCH315により指定されているように、及びHS−SCCH315により与えられた情報を使用して、UE120は、HS−DSCH305の関連する部分をデコードする。
【００２８】
関連するUE120のUE−IDは、HS−DSCH305と共に含まれている。これが、HS−DSCH305をデコードするUE120のUE−IDに合致する場合、UE120は、HS−DSCH305内のFACHメッセージコンテンツを処理する。
【００２９】
FACHメッセージがUE120に送信される場合、RNC105は、FACHをあるメッセージと共にUE120に送信することをノードB110に要求する。その後、ノードB110は、HS−DSCH305により送信されることになっている何らかのトラフィックデータと共に、HS−DSCH305によるFACHメッセージの送信のスケジューリングを行う（送信の予定を立てる）。ノードB110は、FACHメッセージを伝送するHS−DSCH305に使用されるコード及びタイムスロットを選択することに加えて、HS−DSCH305に適用する符号化及び変調方式も選択する。ノードB110はHS−SCCH315を送信する際、FACH−IDを用いてHS−SCCH315をエンコードし、HS−SCCH315は、HS−DSCH305におけるFACHメッセージ用のコード及びタイムスロットを指定することに加えて、使用される符号化及び変調方式を指定する。
【００３０】
ノードB110がFACHメッセージを送信することについてRNC105から要求がなかった場合、ノードB110は、HS−DSCH305のりソースの全てをトラフィックデータに使用することができる。このように、物理リソースは、より効率的に使用され、特に、物理リソースはFACHメッセージを送信するために永続的には割り当てられず、特に、FACHメッセージが送信されることを必要としない場合又は僅かしか必要としない場合に効率的である。
【先行技術文献】
【非特許文献】
【００３１】
【非特許文献１】3GPP  TS25.221（Universal  Mobile  Telecommunications  System  (UMTS);  Physical  channels  and  mapping  of  transport  channels  onto  physical  channels  (TDD)）
【発明の概要】
【発明が解決しようとする課題】
【００３２】
しかしながら、FACHタイムスロットを再利用するこの種の技法に関する問題は、FACHメッセージを送信するたために、単にFACHチャネルだけでなくHS−SCCH315及びHS−DSCH305のチャネルを利用しなければならず、電力消費の観点からは有利ではない。
【００３３】
FACHメッセージは、UE120がアイドル状態（又は接続状態）の場合にUEに送信される。したがって、ノードB110は、ノードB110及びUE120間の伝送経路の状態を知らない。したがって、通常の電力制御は効率的でない。なぜなら、ノードB110は、使用する適切な電力レベルについて判断するための情報を得ていないからである。したがって、UE及びノードB間の伝搬損失（パスロス）の明示的な情報はなく、先ず、電力の状態は、送信されるビット数及び符号化率に依存しなければならない。
【００３４】
HS−SCCH315により送信されるビット数は、従来のFACHで送信されるビット数に匹敵し、60ビットのオーダである（3．84McpsのTDD  HS−SCCHの場合、57ビットである）。FACHにより送信される正確なビット数は、具体的な実施形態に依存する。したがって、HS−SCCH315及びFACHの接続初期における電力条件は、各チャネルで伝送されるビット数が同程度であることに起因して実質的に同じになる（例えば、ノードBの送信電力の約33％）。
【００３５】
FACH対すロットを再利用するこの既存の技法の問題は、FACHメッセーを送信する際、HS−SCCH315及びHS−DSCH305の双方が使用され、その各々が、異なるタイムスロットにあるにも関わらずノードBの送信電力の約33％を必要としてしまうことである。これに対して、FACHメッセージを送信する従来方法の場合、専用のFACHタイムスロットを利用し、１つのタイムスロットしか使用していない。したがって、FACHタイムスロットを再利用する既存の技法は、ノードBの33％もの送信電力を余分なタイムスロットに必要としてしまう。
【００３６】
FACHをHS−DSCHリソースにマッピングすることでFACHタイムスロットを再利用することは、物理リソースの利用について顕著な改善をもたらすが、それは、電力の制約を増やしてしまうので望まれないことを、当業者は認めるであろう。
【課題を解決するための手段】
【００３７】
開示される発明の一形態によるセルラ通信ネットワークノードは、
信号処理論理装置に結合された送信部を有するセルラ通信ネットワークであって、
該送信部は、前記信号処理論理装置により生成された少なくとも１つのダイレクトシグナリングチャネル用インジケータビットを送信し、
前記信号処理論理装置は、送信されるメッセージを受信した場合、第１のリソースユニットにおいて前記少なくとも１つのダイレクトシグナリングチャネル用インジケータビットを設定し、ダイレクトシグナリングチャネルが少なくとも第２のリソースユニットにおいてアクティブであることを表現し、
前記信号処理論理装置は、送信するメッセージがなかった場合、前記少なくとも第２のリソースユニットを、前記ダイレクトシグナリングチャネル以外の少なくとも１つのチャネルに使用するように再配分する、セルラ通信ネットワークノードである。
【図面の簡単な説明】
【００３８】
【図１】セルラ通信システムの一部に関する既存のネットワークトポロジ例を示す図。
【図２】FACHチャネル送信を行う既存の上位概念的な動作例を示す図。
【図３】既存の物理リソースの割り当て例を示す図。
【図４】本発明の実施例によるセルラ通信システムの一部を示す図。
【図５】本発明の実施例によるリソース割当例を示す図。
【図６】本発明の実施例によるリソース割当例を示す図。
【図７】本発明の実施例によるリソース割当例を示す図。
【図８】本発明の実施例によるリソース割当例を示す図。
【図９】本発明の実施例によるリソース割当例を示す図。
【図１０】セルラ通信システムの物理チャネルを介してトランスポートチャネルを送信する本発明の実施例による方法を示すフローチャート。
【図１１】セルラ通信システムの物理チャネルを介してトランスポートチャネルを送信する本発明の実施例による方法を示すフローチャート。
【図１２】本発明の実施例による処理機能を実現するのに使用される一般的なコンピュータシステムを示す図。
【発明を実施するための形態】
【００３９】
したがって、本発明は、上記の問題点の１つ以上を単独に又は組み合わせにより解消、軽減又は対処しようとする。
【００４０】
本発明の第１形態により提供されるセルラ通信ネットワークノードは、信号処理論理装置に結合された送信部を有し、送信部は、該信号処理論理装置により生成された少なくとも１つのダイレクトシグナリングチャネル用インジケータビットを送信する。信号処理論理装置は、送信されるべきメッセージを受信した場合、ダイレクトシグナリングチャネルが、少なくとも１つのリソースユニットにおいてアクティブであることを示すように、少なくとも１つのダイレクトシグナリングチャネル用インジケータビットを設定する。信号処理論理装置は、メッセージを送信する必要がなかった場合、少なくとも１つのリソースユニットが少なくとも１つの他のチャネルにより使用されるように再配分する。
【００４１】
したがって本発明の実施形態によれば、例えば、様々なチャネルタイプの間で物理リソースを動的に切り替え可能にすることで、通信システムにおける通信リソースの利用効率を改善できる。
【００４２】
本発明の選択的な特徴によれば、信号処理論理装置は、ダイレクトシグナリングチャネルのリソース情報を生成し、そのリソース情報は、ダイレクトシグナリングチャネルに適用される伝送フォーマット及び物理リソースの記述を含む。本発明の実施形態は、ダイレクトシグナリングチャネルの物理リソースが、全てのUEに対して比較的低頻度に送信されることを可能にする。この方法の場合、従来の場合と比較してシグナリングの負荷を減らすことができ、従来、ダイレクトシグナリングチャネルが割り当てられるときは常に、ダイレクトシグナリングチャネルの物理リソースが送信される。
【００４３】
本発明の選択的な特徴によれば、信号処理論理装置は、送信されるべきメッセージを受信した場合、少なくとも１つのダイレクトシグナリングチャネル用インジケータビットを第１フレームにて設定し、そのメッセージを第２フレームにて送信する。例えば、第２フレームは、第１フレームに続く次のフレームでもよい。したがって本発明の実施形態は、インジケータビットを処理するためにUEがより長い時間をかけることを可能にし、これによりUEの複雑さを減らすことができ、及び／又はダイレクトシグナリングチャネルが送信されている間、UEは受信部をオフにすることができる。
【００４４】
本発明の選択的な特徴によれば、信号処理論理装置は、複数のダイレクトシグナリングチャネルを少なくとも１つのリソースユニットに割り当てる。本発明の実施形態によれば、ダイレクトシグナリングチャネルの少ないビット数のインジケータビットを用いて、システムは動作することができる。インジケータチャネルから解放されたビットは、他の事柄を示すのに使用されてもよい（例えば、ページング、E−DCH、ACK／NACK等のシグナリングに使用されてもよい。）。
【００４５】
本発明の選択的な特徴によれば、信号処理論理装置は、送信用に１つのダイレクトシグナリングチャネル用インジケータビットを生成してもよいし、複数のダイレクトシグナリングチャネル用インジケータビットを生成し、ダイレクトシグナリングチャネル各々につき１ビットが対応してもよいし、送信用に多数のインジケータビットを生成し、インジケータビットの各々が複数のダイレクトシグナリングチャネルに対応してもよい。本発明の実施形態によれば、割り当てられるダイレクトシグナリングチャネルを緻密に制御することができ、例えば、ネットワークは、リソースの全部を割り当てる又は全く割り当てないだけでなく、リソースの一部をダイレクトシグナリングチャネルとして割り当てることができる。これは、シグナリングチャネル及びトラフィックチャネル（例えば、HS−DSCH）を指示する際に、リソースを意図したようにより適切に割り当てることを可能にする。
【００４６】
本発明の選択的な特徴によれば、信号処理論理装置は、複数のダイレクトシグナリングチャネルを複数のリソースユニットに割り当てる。本発明の実施形態によれば、１つのインジケータビットにより、１つより多いダイレクトシグナリングチャネルを制御できるようにし、ダイレクトシグナリングチャネルの増加（送信可能なインジケータビット数が制限されている場合）又は使用するインジケータビット数の削減に寄与できる。
【００４７】
本発明の選択的な特徴によれば、信号処理論理装置は、送信される少なくとも１つのメッセージを受信した場合、１つ以上のメッセージを送信するのに必要とされなかった少なくとも１つのリソースユニットを、ダイレクトシグナリングチャネル以外の少なくとも１つのチャネルに使用するように、再配分する。本発明の実施形態によれば、リソースの利用効率を向上させ、例えば、リソースユニットの一部がダイレクトシグナリングチャネルに割り当てられ、ダイレクトシグナリングチャネルに必要ではなかった一部のリソースが他のチャネルに改めて割り当てられる。さらに、ダイレクトシグナリングチャネルが多くは必要とされないが、トラフィックチャネルに多くのトラフィックが存在する場合、トラフィックの性状にさらに合わせてリソースを利用できる。
【００４８】
本発明の選択的な特徴によれば、少なくとも１つのダイレクトシグナリングチャネルは、ユニバーサル移動通信システム（UMTS）ネットワークにおけるフォワードアクセスチャネル（FACH）でもよい。例えば、少なくとも１つのダイレクトシグナリングチャネルのリソースユニットは、高速ダウンリンク共有チャネル（HS−DSCH）に使用するように割り当てられてもよい。本発明の実施形態によれば、既存のアプリケーションに直接適用可能である。この場合、例えば、不使用のFACHリソースはHS−DSCHリソースに移管され、HS−DSCHの潜在的なスループットを向上させる。
【００４９】
本発明の選択的な特徴によれば、信号処理論理装置は、少なくとも１つのダイレクトシグナリングチャネル用インジケータビットを、報知するブロードキャストチャネル（BCH）内に生成する。例えば、信号処理論理装置は、少なくとも１つのダイレクトシグナリングチャネル用インジケータビットを、BCHにおけるトランスポートフォーマットコンビネーションインジケータ（TFCI）型のフィールド内に設けてもよい。さらに、本発明の選択的な特徴によれば、信号処理論理装置は、ダイレクトシグナリングチャネルを、報知するBCHのデータ部分の一部として生成する。本発明の実施形態によれば、報知チャネルで直接的に送信することを可能にし、これにより別個のインジケータチャネルの必要性を排除できる。あるいは、本来的なインジケータチャネルが存在する場合（例えば、PICH又はE−HICH）、これらのインジケータチャネルのページング又はE−DCHアクノリッジメント（送達確認）の容量（リソース量）は減らない。なぜなら、ダイレクトシグナリングチャネル用インジケータビットは、PICHやE−HICHのような他の機能に必要なインジケータビットを置換するものではないからである。
【００５０】
本発明の選択的な特徴によれば、信号処理論理装置は、少なくとも１つのダイレクトシグナリングチャネル用インジケータビットを、個別のダイレクトシグナリングチャネル用インジケータチャネル内に生成してもよいし、個別のページングインジケータチャネル内に生成してもよいし、ユニバーサル移動通信システム（UMTS）ネットワークのE−DCHハイブリッドARQインジケータチャネル（E−HICH）内に生成してもよい。本発明の実施形態によれば、報知チャネルの利用度を減らすことができる。この方法の場合、インジケータチャネルは、（報知チャネルの場合よりも）軽く符号化されてもよい。これにより、（インジケータビットが報知チャネルで送信される場合と比較して）インジケータチャネルの低電力化及びデコードの簡易化を図ることができる。
【００５１】
本発明の第２形態による方法は、セルラ通信システムの物理チャネルを介してトランスポートチャネルを送信する。本方法は、少なくとも１つのメッセージが送信されるか否かを判定することを含む。少なくとも１つのメッセージが送信されなければならないことが確認された場合、少なくとも１つのダイレクトシグナリングチャネルに割り当てられる少なくとも１つのリソースユニットにより送信する少なくとも１つのメッセージをスケジューリングし、送信する少なくとも１つのダイレクトシグナリングチャネル用インジケータビットを設定する。送信するメッセージがないことを確認した場合、少なくとも１つのダイレクトシグナリングチャネルに使用するように割り当てられていた少なくとも１つのリソースユニットを、ダイレクトシグナリングチャネル以外の少なくとも１つのチャネルに使用するように、再配分する。本発明の実施形態によれば、より柔軟にリソースを利用することができ、例えば、不使用のダイレクトシグナリングチャネルのリソースは、他のチャネル（例えば、トラフィック）に改めて割り当てられてもよい。
【００５２】
本発明の第３形態によるプログラムコードを有するコンピュータプログラム（プロダクト）は、無線通信システムにおいて、ネトワーク要素から無線通信装置へシグナリングを行う。コンピュータプログラムはプログラムコードを有し、該プログラムコードは、送信するメッセージを受信した場合、少なくとも１つのダイレクトシグナリングチャネル用インジケータビットを設定する。プログラムコードはさらにコードを含み、そのコードは、ダイレクトシグナリングチャネルに使用するように割り当てられた少なくとも１つのリソースユニットにおいてメッセージを送信し、メッセージを送信する必要がなかった場合、ダイレクトシグナリングチャネルに割り当てられていた少なくとも１つのリソースユニットを、少なくとも１つの他のチャネルに使用するように再配分する。本発明の実施形態によれば、システムが汎用のハードウエアにおいて動作できるようにし、コストの削減に寄与する。
【００５３】
本発明の第４形態による無線通信装置は、シグナリングメッセージをセルラ通信ネットワークノードから受信し、該シグナリングメッセージは、無線通信システムにおける第１群のリソースを割り当てる。無線通信装置は、少なくとも１つのダイレクトシグナリングチャネル用インジケータビットを通信チャネルにより受信する論理装置をさらに有し、少なくとも１つのダイレクトシグナリングチャネル用インジケータビットは、ダイレクトシグナリングチャネルを割り当てる。無線通信装置は、少なくとも１つのダイレクトシグナリングチャネル用インジケータビットのステータスに応じて、無線通信装置の第１群のリソースを修正する論理装置を有する。
【００５４】
既存の3GPPシステムの場合、例えば、何らかのリソースがFACHに適用されていた場合、FACHスロットのりソース及びHS−DSCHのりソースは、同じUEには容易には割り当てられない。なぜなら、FACHスロット及びHS−DSCHスロットにおけるリソース量は異なり、既存のシグナリングの制約は、同じ量の物理リソースが各タイムスロットで割り当てられなければならいことを意味しているからである。したがって、本発明の実施形態によれば、この問題に対処でき、システムは、より多くのリソースをUEに割り当てることができる。
【００５５】
このように、通常の3GPPの処理とは異なり（通常の3GPPの場合、シグナリングの制約に起因して、割り当てられる全てのタイムスロットにおいて、同じ数のコードが無線通信装置に割り当てられなければならない。）、無線通信装置は、FACHがアクティブであるか否かの通知を受ける。有利なことに、無線通信装置はそのようなインジケータを使用して、例えば、HS−DSCHリソース割当を修正することができる。なぜなら、無線通信装置は、FACHインジケータビットが設定されていた場合、FACHタイムスロットにおけるFACHリソースに相当する何らかのHS−DSCHリソースが、HS−DSCHではなくFACHに割り当てられているに違いないことが分かるからである。
【００５６】
本発明の第５形態によるリソース割当方法は、無線通信システムにおける無線通信装置により行われる。無線通信装置により使用される本方法は、無線通信装置がシグナリングメッセージを受信することを含み、シグナリングメッセージは、少なくとも１つのダイレクトシグナリングチャネル用インジケータビットにより、無線通信システムにおける一群のリソースを通信チャネル上で割り当て、少なくとも１つのダイレクトシグナリングチャネル用インジケータビットは、ダイレクトシグナリングチャネルを割り当て、本方法は、少なくとも１つのダイレクトシグナリングチャネル用インジケータビットのステータスに応じて、無線通信装置の第１群のリソースを修正する。
【００５７】
本発明に関する上記及び他の形態、特徴及び利点は、以下の実施例の説明によりさらに明確になるであろう。本発明の単なる例示にすぎない実施例は、添付図面を参照しながら説明される。
【実施例１】
【００５８】
以下の本発明の実施例は、3GPP  TS22.146及び3GPP  TS25.221及びその他の参照されている文献により規定されているようなユニバーサル移動通信システム（UMTS）通信ネットワークの一部として提供されるフォワードアクセスチャネル（FACH）の観点から説明される。しかしながら、本願で説明される発明概念は、ページングチャネルや割り当てチャネル（例えば、HS−SCCH）のような如何なるダイレクトシグナリングチャネルに適用されてもよいし、あるいは代替的なサービスに適用されてもよいことを、当業者は理解するであろう。
【００５９】
以下の本発明の実施例は、例えばTDD実施形態におけるタイムスロットの観点から説明されるが、本発明概念は、例えばTDDではない実施形態の如何なるリソースユニット（unit  of  resource）に同様に適用されてもよい。したがって、以下のTDDの文脈におけるタイムスロットは、TDD以外の分野の如何なる通信リソースユニットをも包含する。
【００６０】
本発明の一形態では、既存の技術（ページングチャネルにおけるインジケータビットを使用して、UEがPCHを読むために無線部をオンにすべきか否かをUEに通知している（すなわち、バッテリーセービングモード））とは異なり、インジケータビットを使用して、UEがFACH用にFACHチャネルとして「確保」されたリソースを読み取るべきか否かをUEに通知する、あるいはそれらのリソースをUEが無視すべきか否かをUEに通知する（例えば、それらがHS−DSCHのような他のチャネルに使用される場合）。
【００６１】
図４を参照するに、本発明の実施例によるセルラ通信システムの一部が示されている。セルラ通信ネットワーク400は、ノードB（NODE  B）410の形式をとっている通信ネットワークノードを有し、固定回線電気通信プロバイダにより提供される専用回線、マイクロ波リンク、イーサーネットケーブル又はその他の形式の通信リンクにより、無線ネットワークコントローラ（RNC）420に結合される。RNC420は、例えば（不図示の）メディアゲートウェイにさらに結合される。
【００６２】
ノードB410は、１つ以上のインジケータビットを、例えばブロードキャストチャネル（報知チャネル）により送信する信号処理論理装置440を有する。信号処理論理装置440は、さらに、送信すべきFACHメッセージを例えばRNC420から受信した場合、１つ以上のインジケータビットの内の少なくとも１つを設定し、１つ以上のFACHチャネルに使用するように割り当てられた１つ以上のタイムスロットの内の少なくとも１つにより送信する。信号処理論理装置440は、FACHメッセージを送信する必要がなかった場合、１つ以上のFACHチャネルに割り当てられていた１つ以上のタイムスロットを、１つ以上のFACHチャネル以外の１つ以上のチャネルに使用するように、割り当てをやり直す。
【００６３】
RNC420は、例えば、「ノードBセットアップ（NODE  B  SETUP）」メッセージにより（例えば、UMTSにおける「共通トランスポートチャネルセットアップ（COMMON  TRANSPORT  CHANNEL  SETUP）」）、FACHチャネルに割り当てられたタイムスロットを、FACH用に確保されたチャネリゼーションコード（符号分割多重アクセス（CDMA）システムにおける或る周波数上に存在する様々なチャネルを区別するのに使用されるコード）及びRNCにより確保されたパワーヘッドルーム等と共に、ノードB410に指示する。3GPPシステムに関する「ノードBセットアップ」及び「FACH送信（SEND  FACH）」メッセージの一般的な標記は、例えば、「共通トランスポートチャネルセットアップ」及び「FACHフレームプロトコル」として言及されてもよい。
【００６４】
そして、ノードB410は、メモリ要素450を有し、ノードB410は、RNC420が行った設定内容をメモリ要素に保存する。
【００６５】
あるいは、ノードB410は、FACHチャネル用に確保されたチャネリゼーションコード、ノードBのFACH送信に割り当てられた電力等の一群の情報と共に、どのタイムスロットがFCHチャネルに割り当てられるかを決めてもよい。その場合、ノードBはRNCにそれらの決定事項を通知する。
【００６６】
ノードB410の信号処理論理装置440は、RNC420から送信されたFACHメッセージを受信すると、例えば報知チャネルにより、１つ以上のインジケータビットを送信する。この方法の場合、インジケータビットを運ぶチャネル（例えば報知チャネル）を監視することで、UE430は、FACHメッセージの存否を判断することができる。インジケータビットが全く設定されていなかった場合、インジケータビットを伝送するチャネルが送信されるように予定されている次の時点まで、UE430は無線回路の電源を落とすことができる。FACHメッセージが存在していた場合、UE430はFACHチャネルの内容を読み取り、メッセージが自身に宛てられているか否かをはんだんすることができる（この点については、以下で詳細に説明される。）。
【００６７】
図５を参照するに、本発明の実施例によるリソース割当例が示されており、FACHメッセージが送信される。特に、図５は、3．84McpsのTDD  UMTSフレーム内に複数のタイムスロット510があることを示す。
【００６８】
複数のタイムスロット510はトランスポートチャネルに割り当てられ、図示の例では、報知チャネル（BCH）525、高速ダウンリンク共有チャネル（HS−DSCH）505、HS−DSCH用の共有制御チャネル（HS−SCCH）515、及びフォワードアクセスチャネル（FACH）520が含まれている。本発明の実施例の場合、タイムスロットの１つが、インジケータビットを運ぶインジケータチャネル521も伝送している（これについては後述する）。図５はトランスポートチャネルの観点から説明されているが、トランスポートチャネルは送信前に物理チャネルにマッピングされること、図示のトランスポートチャネルの場合、トランスポートチャネル及び物理チャネルの間に１対１の対応関係があることを、当業者は認めるであろう。図５及び後続の図面に示されているチャネル間のタイミングは例示的なものであり、本発明の実際の実施形態に依存して異なるかもしれないことも、当業者は認めるであろう。
【００６９】
さらに、インジケータビットは、インジケータビットを送信するために使用され、かつBCHと同じタイムスロットに存在する如何なるチャネルで送信されてもよい（ただし、代替的に、報知チャネル（BCH）により占有されるもの以外のタイムスロットが存在してもよい。）。例えば、そのようなインジケータビットは、他のインジケータチャネルで使用されている何らかのインジケータを借用してもよい（例えば、いくつかのE−HICHインジケータビットは（例えば、アップリンク送信の送達確認のような）E−HICHの目的には使用されないが、その代わりに、FACHインジケータビットの送信に使用される。）。
【００７０】
さらに、インジケータビットは、セル内の全てのUEに報知されてもよいし、あるいはセル内の１つ以上のUEの意図されたグループ宛に送信されてもよい。例えば、UEの意図されたグループは、特定の機能を備えているUEのグループでもよいし、地理的にノードBの近傍に位置しているUEのグループでもよい。UEグループを意図する方法は、UEグループに既知のスクランブルコードによりインジケータビットをマスクすることでもよいし、ある電力レベルでインジケータビットを送信し、あるUEのグループのみがインジケータビットを信頼性高く受信できるようにしてもよい。
【００７１】
上述したように、FACHは、制御情報をUEに伝送するのに使用されるダウンリンクのトランスポートチャネルである。FACHは、ネットワークからUEへショートメッセージを送信可能にする。これらのショートメッセージは、通常、制御メッセージであり、例えば、物理リソースをUEに割り当て、個別物理チャネルを設定する等の処理を行うために使用される。特に、FACHは、個別物理リソースを設定する必要なしに、UEと通信するサービスをネットワークに提供する。
【００７２】
図４を参照しながら説明したように、RNC420は、FACHに適用されるトランスポートフォーマット及びチャネリゼーションコードと共に、「ノードBセットアップ」メッセージによりFACH用に確保されたタイムスロットリソースを、ノードB410に指示する。さらに、ネットワークが、例えば図４のUE430であるUEにFACHメッセージを送信する必要がある場合、RNC420は、例えば「FACH送信」メッセージであるメッセージをノードB410に送信し、そのメッセージは、メッセージのコンテンツ、UE430の識別子（例えば、メッセージの宛先のUE−ID）を含む。RNC420は他の基準を決めてもよく、例えば、（確保されているものの内）使用する特定のタイムスロットリソース、使用するチャネリゼーションコード等の基準を決めてもよい。あるいは、タイムスロットリソースやチャネリゼーションコード等の選択がノードB410に残され、その場合、ノードB410は、そのFACHチャネル520によるFACHメッセージの送信の予定を立てる（スケジューリングする）。
【００７３】
BCHはダウンリンクのトランスポートチャネルであり、システム情報及びセル固有の情報を報知するのに使用される。特に、ノードB410は、BCH525を使用して、共通チャネルに関するリソース情報を送信する（ここで、共通チャネルは、複数のUEがデコードするように意図されているチャネルであり、この点、特定のUEがデコードするように意図されている個別物理チャネルと異なる。）。リソース情報は、共通物理チャネルのチャネリゼーションコード、タイムスロットリソース割当、トランスポートチャネルのフォーマット（例えば、符号化及び変調方式）等の記述を含む。
【００７４】
図示の例の場合、INCH521は、１つ以上のインジケータビットをさらに有し、インジケータビットの内の少なくとも１つは、FACHインジケータビット522を有する。この方法の場合、BCHのリソース情報は、INCH521の中に、少なくとも１つのインジケータビットの記述を含む。
【００７５】
FACHインジケータビットは、それが関連しているFACHチャネルが「アクティブ」であるか否かを示すために使用される。したがって、図５に示されている例の場合、FACHインジケータビット522は、FACHが「アクティブ」であるか否かを示すために使用されている。
【００７６】
ノードB410がFACHメッセージを送信する必要がある場合、例えば、RNC420からFACH送信メッセージを受信した場合、ノードB410は、図５に示されるようにFACHインジケータビット522をセットする。ノードB410は、メッセージの宛先であるUEの識別子（例えばUE−ID）とともに、FACHタイムスロットによりFACHメッセージを送信する。
【００７７】
このように、ノードB410にアタッチしているUE430は、INCH521を監視することで、特にFACHインジケータビット522を読み取ることで、FACHメッセージの有無を判別することができる。一群のFACHインジケータビットを読み取ると、UE430は、「ノードB410がFACHメッセージを送信している」と判断し、BCH525により送信されたリソース情報を使用して、FACHメッセージをデコードすることができる。UE430の識別子が、FACHメッセージで伝送されている識別子と合致していた場合、UE430はそのメッセージの内容を処理する。
【００７８】
図６を参照するに、図５においてFACHメッセージが送信される必要のない場合の様子を示す。ノードB410が送信するFACHメッセージを全く所有していなかった場合、INCH521内のFACHインジケータビット522はセットされない。こうして、ノードB410にアタッチしているUE（例えば、UE430）は、FACHインジケータビット522を読み取ることで、「ノードB410はFACHメッセージを送信していない」と判断し、それに応じてUEは、HS−DSCHリソースをFACHとしてデコードしようとはしない。これは、UEがバッテリ電力を節約できるようにし、UEがHS−DSCHをFACHとして不適切にデコードすることを回避し、FACH伝送の信頼性を向上させる。
【００７９】
ノードB410はFACHメッセージを送信していないので、FACH520に割り当てられるタイムスロットは空いていることを、当業者は認めるであろう。したがって、本発明の実施例によれば、FACHメッセージが一切送信される必要がない場合、ノードB410は、FACHのタイムスロット520を、FACH以外のチャネルに使用するように再配分する。
【００８０】
図示の例の場合、FACHタイムスロット520は、HS−DSCH505に使用されるように、再配分されている。HS−DSCH505は共有チャネルであり、その中身及び物理リソースはHS−SCCH505により指定され、HS−SCCHは、HS−DSCH505の制御情報を搬送するダウンリンク物理チャネルである。HS−SCCH515は１つのタイムスロット全体を占めるように描かれているが、HS−SCCH515は他のチャネルと多重されてもよいことを、当業者は認めるであろう。
【００８１】
上述したように、ノードB410がFACHメッセージを送信していない場合、ノードBは、他のチャネルに使用するようにFACHタイムスロット520を改めて割り当てを行い、図示の例の場合はHS−DSCH505に割り当てられている。
【００８２】
この方法の場合、FACHメッセージが送信されない場合、HS−DSCH505に利用可能なリソースは、図示の例の場合、タイムスロットが７つから８つに拡張され、約14％増えている。したがって、従来のセルラ通信システムにおけるFACHの場合のようなサービスを提供する従来の技法と比較して、本発明の実施例は、より高い物理リソースの利用効率をもたらす。
【００８３】
さらに、上記のFACHタイムスロットを再利用する既存の方法とは異なり、HS−DSCH505及びHS−SCCH515はFACHメッセージを送信する目的では使用されないので、これら２つのチャネルは、FACHメッセージが送信される場合、ノードBの送信電力に対して大きな割合（例えば、従来の33％）を要求することにはならない。むしろ、FACHメッセージが送信される場合、FACHメッセージのみが、ノードBの送信電力の33％を使用できる。
【００８４】
このように、本発明の実施例は、より高い物理リソースの利用効率をもたらしつつ、電力の制約を増やしてしまう問題を回避できる。
【００８５】
図５及び図６に示されている例の場合、FACHインジケータビット522は、同一フレーム内のFACHの状態を示す（523）。これは、処理の制約がUEに課されることに起因して、あるUEの実施形態の場合は実現が困難になってしまうことを、当業者は認めるであろう。
【００８６】
図７を参照するに、本発明の実施例によるリソース割当例が示されている。図５及び図６に示される例の場合と同様に、フレーム内のタイムスロット710は、BCH725、HS−DSCH705、HS−SCCH715、FACH720、INCH721等に割り当てられている。
【００８７】
図７に示される例の場合、INCH721は複数のインジケータビットを含み、図示の例の場合、その内の１つがFACHインジケータビット722の形式をとり、後続の物理チャネルフレームにおけるFACH720の状態を示している。図示の例の場合、フレーム「ｎ」におけるFACHインジケータビット722は、次の後続のフレーム「ｎ＋１」におけるFACH720の状態を示す（723）。図７の場合、フレーム「ｎ」におけるFACHインジケータビット722がセットされており、したがって、FACH720はフレーム「ｎ＋１」においてアクティブであることを示す。このように、UEに課される処理の制約は軽減される。なぜなら、FACH720がアクティブの場合、UE430は、FACH720をデコードする準備を行うために、より多くの時間をかけることができるからである。図示されているように、HS−SCCH715も、次の後続フレームにおえるHS−DSCH705に関連していてもよい。
【００８８】
図８を参照するに、本発明の実施例によるリソース割当例が示されている。図５ないし７に示される例の場合、１つのFACHインジケータビットを使用して１つのFACHの状態を表し、FACHは物理チャネルの中で１つのタイムスロット全体を占めている。ノードBは１つより多いFACHを提供してもよいこと、及び複数のFACHが１つ以上のタイムスロットに割り当てられてもよいことを、当業者は認めるであろう。
【００８９】
図８に示される例の場合、４つのFACHチャネルが１つのタイムスロットに割り当てられており、FACHインジケータビット822は、少なくとも１つのFACHチャネルがアクティブであるか否かを示す（823）。この方法において、ノードBが１つ以上のFACHメッセージを送信しなければならない場合、ノードBは、FACHインジケータビット822を設定し、割り当てられたタイムスロットにより、１つ以上のFACHチャネル820により１つ上のFACHメッセージを送信する。この方法の場合、UEは、INCH821におけるFACHインジケータビット822を読み取ることで、FACHメッセージが送信されるか否かを判断することができる。  FACHインジケータビット822が設定されていた場合、UEはFACHタイムスロットをデコードし、４つのFACHチャネルの各々を読み取り、１つ以上の送信されたFACHメッセージが自身宛であるか否かを判別する。
【００９０】
ノードBがFACHメッセージの送信を要しなかった場合、ノードBはFACHインジケータビット822を「インアクティブ」（不活性）に設定し、FACHのタイムスロットを、例えばHS−DSCH805のような他のトランスポートチャネルが使用するように再度割り当てを行う。
【００９１】
図９を参照するに、本発明の実施例によるリソース割当例が示されている。図８の例と同様に、４つのFACHチャネルが１つのタイムスロットに割り当てられている。しかしながら、図９に示す例の場合、INCH921は複数のFACHインジケータビット922を含む。図示の例の場合、INCH921は４つのFACHインジケータビット922を含み、FACHインジケータビット922の各々は、FACHチャネル920の内の１つに関連している。
【００９２】
この方法において、ノードBが、送信する１つ以上のFACHメッセージを受信した場合、ノードBは、１つ以上のFACHチャネル920により１つ以上のFACHメッセージを送信するスケジュールを計画し、FACHインジケータビット922の内の１つ以上を設定し、アクティブであるFACHチャネル920を示すようにする。
【００９３】
図９は、ノードBが２つのFACHメッセージを送信しなければならない場合を示す。このため、ノードBは２つのFACHインジケータビット922を設定し、対応する２つのFACHチャネル920によりFACHメッセージを送信する。図９に示す例の場合、FACHタイムスロット内の４つのFACHチャネル920の内２つのみが使用されることを、当業者は認めるであろう。したがって、本発明の実施例の場合、ノードBは、送信するFACHメッセージには不要のFACHチャネルのタイムスロットリソースを、例えばHS−DSCH905のような別のチャネルに改めて割り当ててもよい。この場合、ノードBがFACHメッセージを送信しなければならない場合でさえ、FACHが割り当てられているタイムスロットの中で未使用のリソースが、他のチャネルに再利用されてもよい。
【００９４】
図９に示す例において、タイムスロットがFACHにより部分的に使用されている場合、有利なことに、HS−DSCHの割り当てを受けるUEは、FACHインジケータビットのステータスに基づいて、リソース割当状況を修正する。例えば、HS−DSCH905において、UEが８つ全てのタイムスロット及び16個全てのコードの割り当てを受け、FACHインジケータビッットが設定された場合、UEは、FACHタイムスロット920に関し、実際には少ない数のHS−DSCHコードが割り当てられていることを理解する。この点、既存の3GPPの処理と大きく異なる。既存の処理の場合、シグナリングの制約に起因して、割り当てられるタイムスロット全てにおいて、同数のコードがUEに割り当てられなければならない。しかしながら、本発明の実施例によれば、UEはFACHがアクティブか否か通知される。有利なことに、UEは、その通知を利用して、HS−DSCHのリソース割当を修正する（FACHインジケータビットが設定されていた場合、そのリソースの内FACH以外の部分が割り当てられているので、FACHタイムスロットのリソース全部の割り当てを受けることはできないことを、UEは理解できるからである。）。
【００９５】
図示及び説明された様々な例に関し、１つのタイムスロットが、FACHチャネルに割り当てられている。しかしながら、１つより多いタイムスロットがFACHチャネルに割り当てられてもよいことを、当業者は認めるであろう。したがって、本発明の実施例によれば、１つより多いタイムスロットがFACHチャネルに割り当てられていた場合、１つ以上のタイムスロットは、FACHメッセージの伝送に必要とされなかったとき、個々に又はまとめて、全体的に又は部分的に、他のチャネルが使用するように改めて割り当てられてもよい。
【００９６】
図１０を参照するに、セルラ通信システムの物理チャネルを介してトランスポートチャネルを送信する本発明の実施例による方法のフローチャート1000が示されている。
【００９７】
本方法はブロック1010から始まり、ブロック1020に移り、FACHメッセージが送信される必要があるか否かが判断され、例えば、「FACH送信」コマンドがRNCから受信されているか否かが判定される。
【００９８】
FACHメッセージが送信される必要がある場合、本方法はブロック1030に進み、送信されるFACHメッセージ（単数又は複数）が、１つ以上のFACHチャネルに割り当てられている１つ以上のタイムスロットにより送信されるようにスケジューリングされる。そして、本方法はブロック1050に進む。
【００９９】
ブロック1020において、何らのFACHメッセージも送信を要しないことが確認された場合、本方法はブロック1040に進み、１つ以上のFACHチャネルに割り当てられたタイムスロットは１つ以上のFACHチャネル以外の１つ以上のチャネルに使用するように、再度割り当てし直す。そして、本方法はブロック1050に進む。
【０１００】
ブロック1050において、FACHインジケータビットは、例えば報知チャネル又はインジケータチャネルにおける送信に合わせて構築され、FACHがアクティブであるか否か、例えばFACHメッセージが送信されることになっているか否かを表現する。したがって、FACHメッセージが送信される場合、FACHインジケータビットはセットされ（例えば、論理「１」として送信され）、FACHメッセージが送信されない場合、FACHインジケータビットはセットされない（例えば、論理「０」として送信される、あるいはFACHインジケータビットは、単に、全く送信されない（例えば、不連続送信（DTX）モードにおける場合のようになる。）。）。本方法はブロック1060に進み、トランスポートチャネルの送信が始まる。そして、図示されているように、本方法はブロック1020に戻る。
【０１０１】
発明概念を曖昧にしないようにするため、本発明に関連するブロックのみが図示及び説明されていることを、当業者は認めるであろう。
【０１０２】
図１１を参照するに、セルラ通信システムの物理チャネルを介してトランスポートチャネルを送信する本発明の実施例による方法のフローチャートが示されている。
【０１０３】
本方法はブロック1010から始まり、ブロック1120に移り、FACHメッセージが送信されなければならないか否かが判定される。１つ以上のFACHメッセージが送信されなければならないことが、確認された場合、本方法はブロック1130に進み、１つ以上のFACHメッセージが、割り当てられたタイムスロットの中で送信されるようにスケジューリングされる。
【０１０４】
そして、本方法はブロック1140に進み、FACHメッセージに割り当てられているリソースが、他のチャネルに使用できるように空いているか否かが判定される。ブロック1140において、どのFACHリソースも空いていなかった場合、本方法はブロック1160に進む。しかしながら、FACHリソースが空いていることが確認された場合、本方法はブロック1150に進む。
【０１０５】
ブロック1120において、何らのFACHメッセージも送信を要しないことが確認された場合、本方法はブロック1150に進み、FACHメッセージの送信には不要になったFACHメッセージに割り当てられていたリソースが、他のチャネルで使用するように改めて割り当てられる。
【０１０６】
ブロック1060において、FACHインジケータビットは、報知チャネル又はインジケータチャネルにおいて必要とされるように構築され、FACHがアクティブであるか否か、例えばFACHメッセージが送信されることになっているか否かを表現する。本方法はブロック1070に進み、トランスポートチャネルの送信が始まる。そして、本方法はブロック1120に戻る。
【０１０７】
発明概念を曖昧にしないようにするため、本発明に関連するブロックのみが図示及び説明されていることを、当業者は認めるであろう。
【０１０８】
上記の様々な例において、インジケータビットは、インジケータチャネル内に設けられるように説明されてきた。代替的に、インジケータチャネルは、BCH又は他のチャネルにより送信されてもよい。一例として、インジケータビットは、BCH内のTFCI（トランスポートフォーマットコンビネーションインジケータ）タイプのフィールドにより送信されてもよい。TFCIフィールドは、自身が関連するデータトラフィックとは別個にエンコードされるフィールドである。別の例として、インジケータビットは、BCH又は他のチャネルのデータ部分により送信されてもよい。
【０１０９】
本発明の実施例において、インジケータビットは、個別インジケータチャネル内に設けられてもよい。インジケータビットは、反復的な符号化ビットとして送信されてもよいし、あるいは、それらは共に畳み込み符号化されているような、より強いロバスト性を有するように符号化されていてもよい。
【０１１０】
代替的に、インジケータビットは、他のインジケータビットと共にインジケータチャネルにより送信されてもよい。例えば、PICH（ページングインジケータチャネル）又はE−HICH（E−DCHハイブリッドARQインジケータチャネル）からのインジケータビットが、FACHインジケータビットとして、指定し直されてもよい。
【０１１１】
特定の実施例及び図示の図面の観点から本発明を説明しているが、本発明は説明している実施例や図面に限定されないことを、当業者は認めるであろう。本発明の実施例は、場合によってはUMTSの用語を用いて説明されているが、そのような用語は本願では一般化された意味で使用されており、本発明はそのような特定のシステムには限定されないことを、当業者は認めるであろう。
【０１１２】
様々な実施形態における処理動作は、ハードウェア、ソフトウェア、ファームウェア又はそれらの組み合わせを必要に応じて利用することで実現されることを、当業者は認めるであろう。例えば、プロセッサを用いて、あるいは他のディジタル回路（ソフトウェア、ファームウェア又は配線論理回路により制御されたディジタル回路）を用いて、幾つかの処理が実行されてもよい。（本願で説明した機能を実現する当業者が認識するように、「論理（logic）」なる用語は、（プログラム変更可能でない）固定されたハードウェア、プログラム可能な論理装置及び／又はそれらの適切な組み合わせを指す。）ソフトウェア及びファームウェアは、コンピュータ読取可能な媒体に保存することができる。他の処理は、当該技術分野で良く知られているように、アナログ回路を用いて実現されてもよい。さらに、メモリその他のストレージ、さらには通信要素が、本発明の実施例で使用されてもよい。
【０１１３】
図１２は、本発明の実施例による処理機能を実現するのに使用される一般的なコンピュータシステム1200を示す。この種のコンピュータシステムは、ノードB（特に、ノードBのスケジューラ）、コアネットワーク要素（例えば、GGSN）及びRNC等において使用されてよい。当業者は、他のコンピュータシステムやアーキテクチャを用いて、どのようにして本発明を実現できるかを認識できる。コンピュータシステム1200は、例えば、所与のアプリケーションや環境にとって望ましい又は相応しい、デスクトップ、ラップトップ又はノートブックコンピュータ、携帯式コンピュータ装置（PDA、セルラ電話、パームトップ等）、メインフレーム、サーバ、クライアントを表現してもよいし、あるいは他の何からのタイプの特定用途の又は汎用のコンピュータ装置を表現してもよい。コンピュータシステム1200は、例えばプロセッサ1204のような１つ以上のプロセッサを含んでよい。プロセッサ1204は、汎用の又は特定用途の処理エンジン（例えば、マイクロプロセッサ、マイクロコントローラ又は他の制御論理装置）を使って実現されてもよい。この例の場合、プロセッサ1204は、バス1202又は他の通信媒体に接続されている。
【０１１４】
コンピュータシステム1200は、ランダムアクセスメモリ（RAM）又は他のダイナミックメモリのようなメインメモリ1208も含み、メインメモリは、プロセッサ1204により実行される命令や情報を保存する。メインメモリ1208は、プロセッサ1204により実行される命令の実行中に、一時的な変数又は他の中間的な情報を保存するのに使用されてもよい。コンピュータシステム1200は、同様に、バス1202に結合されたリードオンリメモリ（ROM）又は他のスタティックストレージデバイスを含み、プロセッサ1204用の命令や静的な情報を保存する。
【０１１５】
コンピュータシステム1200は情報ストレージシステム1210を含み、情報ストレージシステムは、例えば、メディアドライブ1212及び取り外し可能なストレージインターフェース1220を含む。メディアドライブ1212は、固定の又は取り外し可能なストレージ媒体をサポートするためのドライブ又は他の機構を含み、そのストレージ媒体は、ハードディスクドライブ、フロッピディスクドライブ、磁気テープドライブ、光ディスクドライブ、コンパクトディスク（CD）、ディジタルビデオディスク（DVD）又は読み取り／書き込みドライブ（R／RW））、あるいはその他の取り外し可能な又は固定のメディアドライブ等である。ストレージ媒体1218は、例えば、ハードディスク、フロッピディスク、磁気テープ、光ディスク、CD、DVDを含み、あるいはメディアドライブにより読み書き可能なその他の固定の又は取り外し可能な媒体を含む。これらの具体例が示すように、ストレージ媒体1218は、特定のコンピュータソフトウエア又はデータを格納するコンピュータ読取可能なストレージ媒体を含む。
【０１１６】
代替実施例において、情報ストレージシステム1210は他の同様な要素を含み、他の同様な要素は、コンピュータプログラム又は他の命令やデータが、コンピュータシステム1200にロードできるようにする。そのような要素は、例えば、取り外し可能なストレージユニット1222及びインターフェース1220（例えば、プログラムカートリッジ及びカートリッジインターフェース）、着脱可能なメモリ（例えば、フラッシュメモリその他の着脱可能なメモリモジュール）及びメモリスロット、その他の着脱可能なストレージユニット1222及びインターフェース1220を含み、着脱可能なストレージユニット1218からコンピュータシステム1200へソフトウェア及びデータを転送できるようにする。
【０１１７】
コンピュータシステム1200は通信インターフェース1224も含む。通信インターフェース1224は、コンピュータシステム1200及び外部装置の間でソフトウェア及びデータを転送できるようにする。通信インターフェース1224の具体例は、モデム、ネットワークインターフェース（イーサーネット又は他のNICカード等）、通信ポート（例えば、ユニバーサルシリアルバス（USB）ポート）、PCMCIAスロット及びカード等を含む。通信インターフェース1224を介して転送されるソフトウェア及びデータは、電子的な、電磁的な、光学的な信号の形式を使用してもよいし、通信インターフェース1224により受信可能な他の信号の形式でもよい。これらの信号は、チャネル1228を介して通信インターフェース1224に提供される。このチャネル1228は信号を搬送し、チャネルは、無線媒体、有線又はケーブル、光ファイバその他の通信媒体を利用して実現される。チャネルの幾つかの具体例は、電話回線、セルラ電話リンク、RFリンク、ネットワークインターフェース、ローカルエリア又は広域ネットワーク、及び他の通信チャネルを含む。
【０１１８】
本願において、「コンピュータプログラムプロダクト」や、「コンピュータ読取可能な媒体」等の用語は、メモリ1208、ストレージデバイス1218又はストレージユニット1222等のような媒体を一般的に指すために使用される。これら及び他の形式のコンピュータ読取可能な媒体は、プロセッサ1204が使用する１つ以上の命令を格納し、プロセッサが特定の処理を実行することを引き起こす。そのような命令は、概して「コンピュータプログラムコード」として言及され（コンピュータプログラムコードは、コンピュータプログラムの形式にグループ化される、又は他のグループにグループ化される）、命令は、実行された場合、コンピュータシステム1200が本発明の実施例の機能を実行できるようにする。コードは、プロセッサが特定の処理を実行することを直接的に引き起こしてもよいし、そのように動作するようにコンパイルされてもよし、及び／又は他のソフトウェア、ハードウェア及び／又はファームウェア要素（例えば、標準的な機能を実行するライブラリ）と結合して処理を行ってもよいことに留意を要する。
【０１１９】
要素がソフトウェアを用いて実現される実施例の場合、ソフトウェアは、コンピュータ読取可能なストレージ媒体に保存され、例えば着脱可能なストレージドライブ1212又は通信インターフェース1224を用いて、コンピュータシステム1200にロードされてもよい。制御論理装置（この例の場合、ソフトウェア命令又はコンピュータプログラムコード）は、プロセッサ1204により実行される場合、プロセッサ1204が、本願で説明した発明の機能を実行することを引き起こす。
【０１２０】
上記の説明は、説明の簡明化のため、様々な機能ユニット及びプロセッサに関連して本発明の実施例を述べていることが、認められるであろう。しかしながら、本発明から逸脱せずに、様々な機能ユニット、プロセッサ又はドメインにわたって如何なる機能分散が行われてもよいことが、認められるであろう。例えば、別個のプロセッサやコントローラにより実行されるように説明された機能が、同一のプロセッサ又はコントローラにより実行されてもよい。したがって、特定の機能ユニットが指しているのは、説明される機能を提供するのに適切な手段を指しているにすぎず、厳密な論理的又は物理的な構造や組織を表しているわけではない。
【０１２１】
本発明は実施例に関連して説明されてきたが、説明した特定の実施例に限定されることは意図されていない。本発明の範囲は特許請求の範囲によってのみ規定される。さらに、ある特徴が特定の実施例に関する説明に登場しているが、説明された実施例の様々な特徴は、本発明において結合されてもよいことを、当業者は認めるであろう。特許請求の範囲において、「有する」という用語は、他の構成要素やステップの存在を排除するものではない。
【０１２２】
さらに、個々に列挙されている複数の手段、要素又は方法ステップは、例えば１つのユニットやプロセッサにより実現されてもよい。そして、個々の請求項に個々の特徴が含まれているが、これらは有利に結合されもよく、異なる請求項に含まれているということ自体は、特徴の組み合わせが実現可能でない及び／又は有利でないことを意味するわけではない。あるカテゴリの請求項にある特徴が含まれているということ自体は、その特徴がそのカテゴリに限定されることを意味しているわけではなく、むしろその特徴は、適切であるならば、他のカテゴリの請求項にも等しく適用されてよい。
【０１２３】
さらに、請求項における特徴の順番は、それらの特徴が実行されなければならない何らかの特定の順番を意味するわけではなく、特に、方法の請求項における個々のステップの順番は、それらのステップがその順番で実行されなければならないことを意味するわけではない。むしろ、ステップは適切な如何なる順番で行われてもよい。そして、単数的な表現は、複数個を排除するわけではない。したがって、「ある」、「或る」、「第１」、「第２」等の語は、複数個を排除するわけではない。
【０１２４】
以上により、セルラ通信システムの物理チャネルを介してトランスポートチャネルを送信する上記の方法及び装置は、単なる一例として、物理リソースの利用効率を高める一方、電力の制約を増やしてしまう問題点を実質的に回避できるという少なくとも１つの利点をもたらすことが、理解されたであろう。
【図１】
2010541352.tif 000003
【図２】
2010541352.tif 000004
【図３】
2010541352.tif 000005
【図４】
2010541352.tif 000006
【図５】
2010541352.tif 000007
【図６】
2010541352.tif 000008
【図７】
2010541352.tif 000009
【図８】
2010541352.tif 000010
【図９】
2010541352.tif 000011
【図１０】
2010541352.tif 000012
【図１１】
2010541352.tif 000013
【図１２】
2010541352.tif 000014
【手続補正書】
【提出日】平成22年3月31日(2010.3.31)
【手続補正２】
【補正対象書類名】特許請求の範囲
【補正対象項目名】全文
【補正方法】変更
【補正の内容】
【特許請求の範囲】
【請求項１】
信号処理論理装置に結合された送信部を有するセルラ通信ネットワークであって、
該送信部は、前記信号処理論理装置により生成された少なくとも１つのダイレクトシグナリングチャネル用インジケータビットを送信し、
前記信号処理論理装置は、送信されるメッセージを受信した場合、第１のリソースユニットにおいて前記少なくとも１つのダイレクトシグナリングチャネル用インジケータビットを設定し、ダイレクトシグナリングチャネルが少なくとも第２のリソースユニットにおいてアクティブであることを表現し、
前記信号処理論理装置は、送信するメッセージがなかった場合、前記少なくとも第２のリソースユニットを、前記ダイレクトシグナリングチャネル以外の少なくとも１つのチャネルに使用するように再配分する、セルラ通信ネットワークノード。
【請求項２】
前記信号処理論理装置は、前記ダイレクトシグナリングチャネルに使用されるトラスポートフォーマット及び物理リソースの情報を含むダイレクトシグナリングチャネル用リソース情報を生成する、請求項１記載のセルラ通信ネットワークノード。
【請求項３】
前記第１のリソースユニットは第１のフレームにあり、前記第２のリソースユニットは第２のフレームにある、請求項１又は２に記載のセルラ通信ネットワークノード。
【請求項４】
前記第２のフレームは、前記第１のフレームの次に続くフレームである、請求項３記載のセルラ通信ネットワークノード。
【請求項５】
前記信号処理論理装置は、前記少なくとも１つの第２のリソースユニットに対して、複数のダイレクトシグナリングチャネルを割り当てる、請求項１ないし４の何れか１項に記載のセルラ通信ネットワークノード。
【請求項６】
（i）送信する１つのダイレクトシグナリングチャネル用インジケータビット
（ii）ダイレクトシグナリングチャネルの各々に１つのビットが対応している複数のダイレクトシグナリングチャネル用インジケータビット及び
（iii）複数のダイレクトシグナリングチャネルに対応する少なくとも１つのインジケータビット
より成る群から選択されたものを前記信号処理論理装置は少なくとも１つ生成する、請求項５記載のセルラ通信ネットワークノード。
【請求項７】
前記信号処理論理装置は、送信する少なくとも１つのメッセージを受信した場合、該少なくとも１つのメッセージを送信するのに必要とされなかった少なくとも１つの第２のリソースユニットを、前記ダイレクトシグナリングチャネル以外の少なくとも１つのチャネルに使用するように再配分する、請求項５又は６に記載のセルラ通信ネットワークノード。
【請求項８】
前記信号処理論理装置は、複数のダイレクトシグナリングチャネルを、複数の第２のリソースユニットに割り当てる、請求項１ないし７の何れか１項に記載のセルラ通信ネットワークノード。
【請求項９】
前記少なくとも１つのダイレクトシグナリングチャネルが、ユニバーサル移動通信システム（UMTS）ネットワークにおけるフォワードアクセスチャネル（FACH）である、請求項１ないし８の何れか１項に記載のセルラ通信ネットワークノード。
【請求項１０】
少なくとも１つのリソースユニットが、高速ダウンリンク共有チャネル（HS−DSCH）に使用されるように再配分される、請求項９記載のセルラ通信ネットワークノード。
【請求項１１】
（i）報知チャネル（BCH）
（ii）BCHにおけるトランスポートフォーマットコンビネーションインジケータ（TFCI）タイプフィールド
（iii）個別のダイレクトシグナリングチャネル用インジケータチャネル
（iv）ユニバーサル移動通信システム（UMTS）ネットワークにおける個別のページングインジケータチャネル
（v）ユニバーサル移動通信システム（UMTS）ネットワークノードにおけるE−DCHハイブリッドARQインジケータチャネル（E−HICH）又は
（vi）報知するBCHのデータの一部分
の内の少なくとも１つにおいて、前記信号処理論理装置は、前記少なくとも１つのダイレクトシグナリングチャネル用インジケータビットを生成する、請求項９又は１０に記載のセルラ通信ネットワークノード。
【請求項１２】
セルラ通信システムにおける物理チャネルを介してトランスポートチャネルを送信する方法であって、
少なくとも１つのメッセージが送信されるか否かを判断するステップと、
少なくとも１つのメッセージが送信される場合、少なくとも１つのダイレクトシグナリングチャネルに割り当てられた少なくとも第２のリソースユニットにより、前記少なくとも１つのメッセージを送信する予定を立て、第１のリソースユニットにおいて少なくとも１つのダイレクトシグナリングチャネル用インジケータビットを設定し、前記少なくとも第２のリソースユニットにおいてダイレクトシグナリングチャネルがアクティブであることを表現するステップと、
メッセージが送信されない場合、前記少なくとも第２のリソースユニットを、前記少なくとも１つのダイレクトシグナリングチャネル以外の少なくとも１つのチャネルに使用するように再配分するステップと
を有する方法。
【請求項１３】
無線通信システムにおけるネットワーク要素から無線通信装置へのシグナリングを行うプログラムコードを有するコンピュータプログラムであって、
送信されるメッセージを受信した場合、第１のリソースユニットにおいて少なくとも１つのダイレクトシグナリングチャネル用インジケータビットを設定し、ダイレクトシグナリングチャネルが少なくとも第２のリソースユニットにおいてアクティブであることを表現し、ダイレクトシグナリングチャネルに使用するように割り当てられた少なくとも第２のリソースユニットにより、メッセージを送信するステップと、
送信するメッセージがなかった場合、前記少なくとも第２のリソースユニットを、前記少なくとも１つのダイレクトシグナリングチャネル以外の少なくとも１つのチャネルに使用するように再配分するステップと
を信号処理論理装置に実行させるコンピュータプログラム。
【請求項１４】
通信チャネルの第１のリソースユニットにより少なくとも１つのダイレクトシグナリングチャネル用インジケータビットを受信し、少なくとも第２のリソースユニットにおいてダイレクトシグナリングチャネルがアクティブであることの通知を受ける論理装置と、
受信した少なくとも１つのダイレクトシグナリングチャネル用インジケータビットのステータスに応じて、少なくとも第２のリソースユニットにより前記ダイレクトシグナリングチャネルを受信する論理装置と、
前記少なくとも１つの第２のリソースユニットを利用して、前記ダイレクトシグナリングチャネル以外の少なくとも１つのチャネルを受信する論理装置と
を有する無線通信装置。
【請求項１５】
無線通信システムにおける無線通信装置によるリソース割当方法であって、
通信チャネルの第１のリソースユニットにより少なくとも１つのダイレクトシグナリングチャネル用インジケータビットを受信し、少なくとも第２のリソースユニットにおいてダイレクトシグナリングチャネルがアクティブであることの通知を受けるステップと、
受信した少なくとも１つのダイレクトシグナリングチャネル用インジケータビットのステータスに応じて、少なくとも第２のリソースユニットにより前記ダイレクトシグナリングチャネルを受信するステップと、
前記少なくとも１つの第２のリソースユニットを利用して、前記ダイレクトシグナリングチャネル以外の少なくとも１つのチャネルを受信するステップと
を有する方法。
【国際調査報告】
2010541352.tif 000015
2010541352.tif 000016
2010541352.tif 000017